(57)【要約】【課題】レールの端部をユーザー等が踏むことを防止することが可能な建具及び建具に設けられる排水部材を提供する。【解決手段】下枠と縦枠とを有し室内と室外との間の開口を形成する枠体と、前記開口を開閉自在に設けられた障子と、前記縦枠と前記障子との間にて上方から落ちる液体を前記室内側に向けて排水するための排水部材と、を有する建具であって、前記下枠には、前記障子を案内するためのレールが設けられ、前記排水部材は、前記レールと前記縦枠との間に介在された、前記レールの前記室外側と前記室内側とを連通する流路の上方にて、前記レールの前記室外側と前記室内側とに亘って配置されている。【選択図】図３
2008214901.tif 000002
【特許請求の範囲】
【請求項１】
下枠と縦枠とを有し室内と室外との間の開口を形成する枠体と、
前記開口を開閉自在に設けられた障子と、
前記縦枠と前記障子との間にて上方から落ちる液体を前記室内側に向けて排水するための排水部材と、を有する建具であって、
前記下枠には、前記障子を案内するためのレールが設けられ、
前記排水部材は、前記レールと前記縦枠との間に介在された、前記レールの前記室外側と前記室内側とを連通する流路の上方にて、前記レールの前記室外側と前記室内側とに亘って配置されていることを特徴とする建具。
【請求項２】
請求項１に記載の建具であって、
前記排水部材は、前記縦枠に固定され、前記レールより室外側から室内側に亘って、前記流路上に配設される本体部を有することを特徴とする建具。
【請求項３】
請求項２に記載の建具であって、
前記本体部の上面は、前記室外側から前記室内側に向かって順次高さが低くなる傾斜面であることを特徴とする建具。
【請求項４】
請求項２または請求項３に記載の建具であって、
前記本体部の先端部は、前記下枠側に垂下されて前記流路の室内側に存在することを特徴とする建具。
【請求項５】
請求項２または請求項４に記載の建具であって、
前記本体部の先端部は、前記下枠に当接されていることを特徴とする建具。
【請求項６】
下枠と縦枠とを有し室内と室外との間の開口を形成する枠体と、前記開口を開閉自在に設けられた障子との間にて、上方から落ちる液体を前記室内側に向けて排水するための排水部材であって、
前記下枠に設けられ前記障子を案内するためのレールと前記縦枠との間に介在された、前記レールの前記室外側と前記室内側とを連通する流路の上方にて、前記レールの前記室外側と前記室内側とに亘って配置されることを特徴とする排水部材。
【発明の詳細な説明】
【技術分野】
【０００１】
本発明は、建具、及び、排水部材に関する。
【背景技術】
【０００２】
下枠と縦枠とを有し室内と室外との間の開口を形成する枠体と、前記開口を開閉自在に設けられた障子と、前記縦枠と前記障子との間にて上方から落ちる液体を前記室内側に向けて排水するための排水部材と、を有する建具は、既に知られている。このような建具としては、例えば、浴室内と浴室外との間に設けられる建具があり、当該建具には、浴室内の水が縦枠と障子との間に上方から落ちる水等を浴室内方へ排水させるためのドア隅パッキン（排水部材）が、縦枠の下端側、すなわち、下枠の上面近傍に備えられている（例えば、特許文献１参照）。
【特許文献１】特開２００３−２１４０５３号公報
【発明の開示】
【発明が解決しようとする課題】
【０００３】
ところで、建具の下枠には障子を案内するためのレールが見付け方向に沿って設けられているものがある。レールは、室内外方向、すなわち見込み方向に領域を分けるように存在するため、レールの室外側に水や埃などが溜まった際に室内側に排出できるように、見付け方向におけるレールの一部を切り欠いて、レールの室内側と室外側とを連通させる流路を設けることが望ましい。
【０００４】
しかしながら、レールの一部が切り欠かれていると、レールの切り欠き部、すなわちレールの端部をユーザーが足で踏む畏れがあり、また、流路に物が入り込むと障子が完全に閉まらず水密性が低下する畏れがある。
【０００５】
本発明は、かかる課題に鑑みてなされたものであり、その目的とするところは、レールの端部をユーザー等が踏むことを防止し、流路に物が入り込み難い建具及び建具に設けられる排水部材を提供することにある。
【課題を解決するための手段】
【０００６】
かかる目的を達成するために本発明の建具は、下枠と縦枠とを有し室内と室外との間の開口を形成する枠体と、前記開口を開閉自在に設けられた障子と、前記縦枠と前記障子との間にて上方から落ちる液体を前記室内側に向けて排水するための排水部材と、を有する建具であって、前記下枠には、前記障子を案内するためのレールが設けられ、前記排水部材は、前記レールと前記縦枠との間に介在された、前記レールの前記室外側と前記室内側とを連通する流路の上方にて、前記レールの前記室外側と前記室内側とに亘って配置されていることを特徴とする建具である。  
このような建具によれば、流路の上方には排水部材がレールの室外側と室内側とに亘って配置されているので、ユーザー等は流路上に踏み込み難くなる。このため、ユーザー等がレールの端部を踏むことを防止することが可能である。また、排水部材が流路の上方にてレールの室外側と室内側とに亘って配置されているので、流路内に物が入り込み難い。このため、流路内に入り込んだ物により障子が完全に閉まらないことによる水密性の低下を防止することが可能である。そして、流路を縦枠とレールとの間に設け、縦枠と障子との間にて上方から落ちる液体を室内側に向けて排水するための排水部材が流路上に配置される構成とすることにより、ユーザー等がレールの端部を踏むことを防止するため、及び、流路内に物が入り込むことを防止するためだけに別途部材を追加することなく、ユーザー等がレールの端部を踏むことを防止し、流路内に物が入り込むことを防止する構成を実現することが可能である。
【０００７】
かかる建具であって、前記排水部材は、前記縦枠に固定され、前記レールより室外側から室内側に亘って、前記流路上に配設される本体部を有することが望ましい。  
このような建具によれば、排水部材は縦枠に固定されているので、下枠から離れた位置に本体部を設けることが可能である。そして、流路上にてレールより室外側から室内側に亘って配設されているので、流路を塞ぐことなく、縦枠と障子との間にて上方から落ちる液体を室内側に向けて排水するための排水部材を設けることが可能である。このため、レールより室外側に進入した液体を流路から室内側に向けて容易に排出することが可能である。
【０００８】
かかる建具であって、前記本体部の上面は、前記室外側から前記室内側に向かって順次高さが低くなる傾斜面であることが望ましい。  
このような建具によれば、排水部材の上方に落ちる液体を速やかに室内側に向けて排出することが可能である。
【０００９】
かかる建具であって、前記本体部の先端部は、前記下枠側に垂下され前記流路の室内側に存在することが望ましい。  
このような建具によれば、本体部の先端部が、下枠側に垂下されて流路の室内側に存在しているので、室内側から流路方向に液体が進入しようとしても、流路の室内側に位置する本体部の先端部により妨げられて流路内に進入することを抑えることが可能である。
【００１０】
かかる建具であって、前記本体部の先端部は、前記下枠に当接されていることが望ましい。  
このような建具によれば、本体部の先端部が下枠に当接されているので、本体部の先端部は流路の室内側に障壁を形成することが可能である。このため、室内側から流路方向に進入しようとする液体は、流路の室内側にて本体部の先端部により形成される障壁にて進入を妨げられるため、水が流路内に進入することを抑えることが可能である。
【００１１】
また、下枠と縦枠とを有し室内と室外との間の開口を形成する枠体と、前記開口を開閉自在に設けられた障子との間にて、上方から落ちる液体を前記室内側に向けて排水するための排水部材であって、前記下枠に設けられ前記障子を案内するためのレールと前記縦枠との間に介在された、前記レールの前記室外側と前記室内側とを連通する流路の上方にて、前記レールの前記室外側と前記室内側とに亘って配置されることを特徴とする排水部材である。  
このような排水部材によれば、流路の上方にレールの室外側と室内側とに亘って排水部材が配置されるので、流路上の空間が狭くなり、ユーザー等が流路上に踏み込み難く、かつ、流路内に物が入り込み難い構成とすることが可能である。このため、ユーザー等がレールの端部を踏むこと、及び、流路内に物が入り込むことを防止することが可能な排水部材を実現することが可能である。
【発明の効果】
【００１２】
本発明によれば、レールの端部をユーザー等が踏むことを防止し、流路に物が入り込み難い建具及び建具に設けられる排水部材を提供することができるという効果がある。
【発明を実施するための最良の形態】
【００１３】
以下、本発明の一実施形態に係る建具について図１〜４を参照して説明する。  
本実施形態に係る建具１０は、図１、図２に示すように、躯体に固定され、浴室内と浴室外との間の開口を形成する枠体１４と、開口を開閉自在に設けられた障子としての折れ戸２０と、後に詳述する排水部材４０と、を有している。
【００１４】
以下の説明では、建具１０を浴室内側から見たときに上下となる方向を上下方向、左右となる方向を左右方向または見付け方向、室内外方向である奥行き方向を見込み方向として示す。
【００１５】
枠体１４は、折れ戸２０の上下に位置する上枠１４ａ及び下枠１４ｂと、左右に位置する縦枠１４ｃ、１４ｄとを有している。上枠１４ａ及び下枠１４ｂには、折れ戸２０が開閉する際に案内されるレール１５が設けられている。レール１５は、上枠１４ａからは垂下され、下枠１４ｂには鉛直方向に立設されている（上枠１４ａ側のレールは図示していない）。また、下枠１４ｂに設けられているレール１５は、見付け方向の端部１５ａが縦枠１４ｃ、１４ｄから間隔を隔てて配置されている。すなわち、レール１５の端部１５ａと縦枠１４ｃ、１４ｄとの間には、レール１５の室外側と室内側とを連通する流路１６が介在されている。この流路１６は、レール１５の室外側に進入した水、泡等の液体を流出させるとともに、ユーザー等が掃除する際に埃等を掃き出すための掃き出し口としても機能する。
【００１６】
折れ戸２０は、左右一対の扉体２２、２４を備えており、双方の扉体２２、２４は、それらの間に設けられたヒンジにより連結されている。また、扉体２２、２４の、下枠１４ｂの長手方向において端部側に位置する縦框２２ａ、２４ａ（図１）の下方には、扉体２２、２４を回動可能に支持するための一対の扉体支持部材（不図示）が設けられており、その一方は、下枠１４ｂに固定され、他方は、下枠１４ｂに設けられたレール１５上をスライドできるようになっている。本実施形態の扉体２２、２４は、右側の扉体２４の右端側に回動軸を有して回動自在に支持されており、左側の扉体２２の左端側がレール１５上をスライド可能に設けられている。そして、折れ戸２０は、双方の扉体２２、２４（縦框２２ａ、２４ａ）が対面して近接するように扉体２２、２４の連結部分が浴室内側に移動されて折り曲げられることにより開放される。また、扉体２２、２４を閉じた状態では、縦枠１４ｃ、１４ｄに設けられたシール材６０が、縦框２２ａ、２４ａの上下方向におけるほぼ全域に亘って当接されている。
【００１７】
排水部材４０は、浴室内の水が縦枠１４ｃ、１４ｄと折れ戸２０との間にて上方から落ちる液体としての水等を浴室内側に向けて排水するための、樹脂製或いはゴム製の部材である。この排水部材４０は、縦枠１４ｃ、１４ｄの長手方向において下側、かつ、下枠１４ｂの見付け方向において両端部側に設けられている。すなわち、建具１０は、二つの排水部材４０を備えており、各々の排水部材４０は、建具１０の左下隅と右下隅（図１において、丸印で示す）にそれぞれ設けられている。なお、当該左下隅の排水部材４０と当該下右隅の排水部材４０の構成等は、ほぼ同様なので、以下、左下隅の排水部材４０について説明する。
【００１８】
図２において、斑点を施した部分が、排水部材４０である。本実施の形態において、排水部材４０は、扉体２２（縦框２２ａ）が案内されるレール１５に対し浴室外側から浴室内側に亘って設けられている。
【００１９】
排水部材４０は、レール１５より浴室外側にて左側の縦枠（以下、左縦枠という）１４ｃに固定される基部４１と、基部４１からレール１５より浴室内側に向かって延出された本体部としての延出部４３とを有している。
【００２０】
基部４１には、排水部材４０が左縦枠１４ｃに取り付けられる状態における浴室外側に、左縦枠１４ｃに設けられた嵌合凹部１８に嵌合される嵌合部１７が設けられている。
【００２１】
排水部材４０の左縦枠１４ｃ側の側面は、基部４１から延出部４３の全域に亘って平坦に形成され、排水部材４０が左縦枠１４ｃに取り付けられた状態で左縦枠１４ｃに当接されている。一方、排水部材４０の右縦枠１４ｄ側の側面は、浴室外側にて、排水部材４０と見付け方向に並べて左縦枠１４ｃに取り付けられたシール材６０と当接されている。また、シール材６０より浴室内側であってレール１５より浴室外側では、閉止された状態の折れ戸２０と僅かに間隔を隔てるように湾曲され、レール１５より浴室内側では、ほぼ平坦に形成され、延出部４３はほぼ同じ幅で浴室内側に向かって突出されている。
【００２２】
排水部材４０の上面４０ａは、基部４１から浴室内側の先端までの領域で、浴室外側から浴室内側に向かって順次高さが低くなるような傾斜面で構成されている。このため、排水部材４０の上方から上面４０ａに落ちた水等は、浴室外側から浴室内側に向かって流れるように導かれる。
【００２３】
延出部４３は、下面４３ａが下枠１４ｂの上方にて間隔を隔てた位置になるように基部４１から突出されており、延出部４３の先端部４３ｂは下方に垂下されて下端４３ｃが下枠１４ｂに当接されている。下枠１４ｂに当接されている先端部４３ｂは、基部４１と見込み方向に間隔を隔てて設けられている。このため、延出部４３は、流路１６の上をレール１５より浴室外側と浴室内側とに亘って配置されている。すなわち、延出部４３は、流路１６の上方の領域の一部を覆うように配置されている。このため、ユーザー等は、排水部材４０により足が流路１６上に進入しにくくなり、流路１６を形成しているレール１５の端部１５ａを踏みにくくなる。すなわち、排水部材４０を流路１６上に配置することにより、ユーザー等がレール１５の端部１５ａを踏むことを防止することが可能である。
【００２４】
また、延出部４３が、流路１６の上をレール１５より浴室外側と浴室内側とに亘って配置されているので、流路１６内に物が入り込み難くなる。このため、流路１６内に入り込んだ物により折れ戸２０が完全に閉まらないことによる水密性の低下を防止することが可能である。
【００２５】
また、流路１６上に配置されているのは、左縦枠１４ｃと折れ戸２０との間にて上方から落ちる水などの液体を浴室内側に向けて排水するための排水部材４０なので、ユーザー等がレール１５の端部１５ａを踏むことを防止するため、及び、流路内に物が入り込むことを防止するためだけに別途部材を追加することなく、排水部材４０によりユーザー等がレール１５の端部１５ａを踏むことを防止し、流路１６内に入り込んだ物により折れ戸２０が完全に閉まらないことによる水密性の低下を防止することが可能な建具１０を実現することが可能である。
【００２６】
また、流路１６上に配置されているのは、延出部４３であり、延出部４３はレール１５より浴室外側にて左縦枠１４ｃに固定されている排水部材４０の、レール１５より浴室内側に向かって延出されている部位なので、レール１５の浴室外側と浴室内側とに亘って配置される排水部材４０を、流路１６を塞ぐことなく設けることが可能である。このため、レール１５より浴室外側に進入した水等を容易に浴室内側に向けて排出することが可能である。
【００２７】
また、延出部４３の上面４０ａは、浴室外側から浴室内側に向かって順次高さが低くなる傾斜面なので、排水部材４０の上方に落ちる水等をスムーズに浴室内側に向けて排出することが可能である。
【００２８】
また、延出部４３の先端部４３ｂの下端４３ｃは、下枠１４ｂに当接されているので、延出部４３の先端部４３ｂは流路１６の浴室内側に位置している。このため、浴室内側から流路１６方向に水等が進入しようとしても、流路１６の浴室内側に位置する延出部４３の先端部４３ｂにより妨げられて水等が浴室内側から流路１６内に進入することを抑えることが可能である。
【００２９】
本実施形態においては、延出部４３が、レール１５より浴室側において、ほぼ同じ幅にて浴室内側に延出されている例について説明したが、これに限るものではない。例えば、図５（ａ）に示すように、延出部４３の先端部４３ｂに見付け方向に突出するひれ部４３ｄを設けたり、図５（ｂ）に示すように、延出部４３の先端部４３ｂ側を、基部４１側と同様に、閉止された状態の折れ戸２０と僅かに間隔を隔てて、見付け方向に突出するように湾曲させても良い。この場合には、人が足を流路１６上に進入させようとすると、排水部材４０のひれ部４３ｄ、及び、湾曲して突出した部位４３ｅに接触する可能性が高くなるので、ユーザー等がレール１５の端部１５ａをより踏み難い建具１０を実現することが可能である。
【００３０】
また、ひれ部４３ｄ、及び、湾曲して突出した部位４３ｅは、流路１６の浴室内側に位置するので、浴室内側から流路１６方向に水等が進入しようとしても、流路１６の浴室内側に位置するひれ部４３ｄ、及び、湾曲して突出した部位４３ｅにより妨げられる。このため、水等が流路１６からレール１５の浴室外側に進入することをより効果的に抑えることが可能である。尚、上記実施形態では、延出部４３の先端部４３ｂの下端４３ｃが下枠１４ｂに当接されている例について説明したが、これに限るものではなく、先端部４３ｂにひれ部やスポンジ等を設けても良く、さらに先端部４３ｂの下枠側に垂下された部位を流路の室内側に存在させてレール１５より浴室外側にゴミ等が進入することを防止し、また、先端部４３ｂの下端面と下枠１４ｂの間に適宜間隙を設けて、間隙を流路から流れ出る水の排水口としても良い。すなわち、排水部材４０は、レール１５の端部１５ａにて形成される流路の少なくとも一部を覆うようにレール１５の浴室外側と浴室内側とに亘って設けられていれば良い。
【００３１】
また、上記実施形態の排水部材４０は、排水部材４０の上方から上面４０ａに落ちた水等が上面４０ａに沿って浴室外側から浴室内側に向かって流れるように導かれる排水部材４０について説明したが、これに限るものではなく、例えば図５（ｃ）に示すように、排  水部材４４が上面４４ａとは別に排水可能な面４４ｂを有していても良い。
【００３２】
また、上記実施形態では、排水部材４０を左縦枠１４ｃと折れ戸２０との間に設けた例について説明したが、排水部材を設ける位置は左縦枠側に限るものではなく、障子の移動により下枠のレールの端部が露出される側の縦枠と障子との間に設けられるものである。
【００３３】
また、上記実施の形態においては、障子として、折れ戸を例に挙げて説明したが、これに限定されるものではなく、例えば、障子は、開き戸、引き戸であっても構わない。
【００３４】
また、建具として、浴室用の建具を例に挙げて説明したがこれに限定されるものではなく、例えば、シャワー室用の建具やプール用の建具であってもよい。本発明は、室内と室外との間に位置するどの建具にも、適用可能である。
【００３５】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００３６】
【図１】本実施形態に係る建具の概略図である。
【図２】本実施形態に係る建具に設けられた排水部材を説明するための図である。
【図３】本実施形態に係る建具に設けられた排水部材を説明するための斜視図である。
【図４】本実施の形態に係る排水部材の斜視図である。
【図５】排水部材の変形例を示す図である。
【符号の説明】
【００３７】
１０  建具、１４  枠体、１４ａ  上枠、１４ｂ  下枠、１４ｃ  左縦枠（縦枠）、
１４ｄ  縦枠、１５  レール、１６  流路、２０  折れ戸、４０  排水部材、
４０ａ  上面、４３  延出部、４３ｂ  先端部
【図１】
2008214901.tif 000003
【図２】
2008214901.tif 000004
【図３】
2008214901.tif 000005
【図４】
2008214901.tif 000006
【図５】
2008214901.tif 000007